【事件の表示】
　平成　６年特許願第２２９７１５号「画像処理装置及び方法」拒絶査定不服審判事件〔平成　８年　３月２２日出願公開、特開平　８−　７９５４６〕について、次のとおり審決する。
【結　論】
　本件審判の請求は、成り立たない。
【理　由】
１．手続の経緯
　本願は、平成６年９月２６日（優先権主張、平成６年６月２９日）の出願であって、平成１６年２月１７日付で拒絶査定がなされ、これに対し、同年３月２５日に拒絶査定に対する審判請求がなされるとともに、同年４月１５日付で手続補正がなされたものである。
　
２．平成１６年４月１５日付の手続補正についての補正却下の決定
［補正却下の決定の結論］
　平成１６年４月１５日付の手続補正を却下する。
　
［理由］
２．１．本件補正後の特許請求の範囲の記載
　本件補正により、特許請求の範囲の記載は、
「　【請求項１】　色再現範囲を示すデータを保持する保持手段と、
　前記保持手段で保持している色再現範囲を示すデータに基づいて画像をプリントするプリント手段と、
　前記プリント手段でプリントされた画像に基づいて前記保持手段で保持している前記色再現範囲を示すデータを更新する更新手段とを備える画像処理装置であって、
　前記プリント手段をキャリブレーションするキャリブレーション手段を備え、前記キャリブレーションした後に前記色再現範囲を示すデータを更新することを特徴とすることを特徴とする画像処理装置。
　　【請求項２】　前記保持手段で保持されている色再現範囲を示すデータは、Ｒ、Ｇ、Ｂ、Ｃ、Ｍ、Ｙの６原色について保持することを特徴とする請求項１記載の画像処理装置。
　　【請求項３】　前記色再現範囲をユーザに報知することを特徴とする請求項１記載の画像処理装置。
　　【請求項４】　前記プリントされた画像は読み取られ、前記色再現範囲の最外部を判定することを特徴とする請求項１項記載の画像処理装置。
　　【請求項５】　パッチを出力する出力手段と、
　前記出力手段により出力されたパッチを読み取り画像信号に変換する入力手段と、
　前記入力手段により入力された画像信号に基づいて前記出力手段の色再現範囲を判定する判定手段と、
　前記判定された色再現範囲を示すデータを外部機器に転送する転送手段を備え、前記転送のタイミングは前記色再現範囲の更新したときもしくは前記外部機器が転送要求をしたときであることを特徴とする画像処理装置。
　　【請求項６】　前記色再現範囲は色空間圧縮に使われることを特徴とする請求項５項記載の画像処理装置。
　　【請求項７】　前記外部機器の前記画像処理装置に関するプロファイル中の色再現範囲を更新するために前記転送は行なわれることを特徴とすることを特徴とする請求項５項記載の画像処理装置。
　　【請求項８】　プリンタの色再現範囲を示すデータを保持し、
　前記保持している色再現範囲を示すデータに基づいて画像をプリンタによりプリントさせ、
　前記プリントされた画像に基づいて前記保持している前記プリンタの色再現範囲を示すデータを更新する画像処理方法であって、
　前記プリンタのキャリブレーションをした後に前記色再現範囲を示すデータを更新することを特徴とする画像処理方法。
　　【請求項９】　前記保持手段で保持されている色再現範囲を示すデータは、Ｒ、Ｇ、Ｂ、Ｃ、Ｍ、Ｙの６原色について保持することを特徴とする請求項７記載の画像処理方法。
　　【請求項１０】　前記色再現範囲をユーザに報知することを特徴とする請求項７記載の画像処理方法。
　　【請求項１１】　前記プリントされた画像は読み取られ、前記色再現範囲の最外部を判定することを特徴とする請求項７項記載の画像処理方法。
　　【請求項１２】　パッチを出力し、
　前記出力されたパッチを読み取り画像信号に変換し、
　前記変換された画像信号に基づいて出力手段の色再現範囲を判定し、
　前記判定された色再現範囲を示すデータを外部機器に転送する画像処理方法であって、
　前記転送のタイミングは前記色再現範囲の更新したときもしくは前記外部機器が転送要求をしたときであることを特徴とする画像処理方法。
　　【請求項１３】　前記色再現範囲は色空間圧縮に使われることを特徴とする請求項１２項記載の画像処理方法。
　　【請求項１４】　前記外部機器の前記画像処理装置に関するプロファイル中の色再現範囲を更新するために前記転送は行なわれることを特徴とすることを特徴とする請求項１２項記載の画像処理方法。」
と補正された。
　　
２．２．本件補正前の特許請求の範囲の記載
　平成１４年７月２９日付の手続補正による、本件補正前の特許請求の範囲の記載は次のとおりである。
　
「　【請求項１】　パッチを出力する出力手段と、
　前記出力手段で出力されたパッチを読み取り画像信号に変換する入力手段と、
　前記入力手段により入力された画像信号に基づいて前記出力手段の色再現範囲を判定する判定手段と、
　前記判定手段で判定された色再現範囲を用いて入力画像データに対して色空間圧縮する色空間圧縮手段とを備える画像処理装置であって、
　前記出力手段を安定化させるキャリブレーション手段を更に有し、前記色再現範囲の判定は該キャリブレーション手段による処理後行なわれることを特徴とする画像処理装置。
　　【請求項２】　更に、前記判定手段は、前記入力手段により変換された画像信号をサンプリングするサンプリング手段と、
　前記サンプリング手段で得られた画像信号を平均化し、前記出力手段の色再現範囲を示すデータとして設定する設定手段とを備えることを特徴とする請求項１記載の画像処理装置。
　　【請求項３】　前記出力手段で出力されるパッチは前記出力手段で出力することができる複数色についての大略最高濃度を示すパッチであることを特徴とする請求項１記載の画像処理装置。
　　【請求項４】　色再現範囲を示すデータを保持する保持手段と、
　前記保持手段で保持している色再現範囲を示すデータに基づいて画像を出力する出力手段と、
　前記出力手段で出力された画像に基づいて前記保持手段で保持している前記色再現範囲を示すデータを更新する更新手段とを備える画像処理装置であって、
　更に、出力装置をキャリブレーションするキャリブレーション手段を備え、前記キャリブレーションした後に前記色再現範囲を示すデータを更新することを特徴とすることを特徴とする画像処理装置。
　　【請求項５】　前記保持手段で保持されている色再現範囲を示すデータは、Ｒ、Ｇ、Ｂ、Ｃ、Ｍ、Ｙの６原色について保持することを特徴とする請求項４記載の画像処理装置。
　　【請求項６】　前記キャリブレーションとは前記画像処理装置の記録部を安定化させる昨日であることを特徴とする請求項４記載の画像処理装置。　　【請求項７】　入力画像に対して第１の処理モードで出力する第１の出力手段と、
　入力画像に対して前記第1の処理モードとは使用するインク数が異なる第２の処理モードで出力する第２の出力手段と、
　前記第１及び第２の処理モードの各々に対応した色再現範囲を示すデータを保持する保持手段とを備えることを特徴とする画像処理装置。
　　【請求項８】　更に、前記第１及び第２の処理モードのどちらで出力するかを指示する指示手段とを有し、
　前記指示手段で指示された前記処理モードに対応した前記色再現範囲を示すデータを用いて処理し出力することを特徴とする請求項７記載の画像処理装置。
　　【請求項９】　前記第１の出力手段は、Ｃ、Ｍ、Ｙ、Ｋの４色成分で表せられる画像データを出力し、
　前記第２の出力手段は、Ｃ、Ｍ、Ｙの３色成分で表せられる画像データを出力することを特徴とする請求項７記載の画像処理装置。
　　【請求項１０】　更に、前記色再現範囲を示すデータを更新する更新手段を有し、
　前記各処理モードごとに前記更新手段を用いて前記色再現範囲を示すデータを更新することを特徴とする請求項７記載の画像処理装置。
　　【請求項１１】　入力画像に対して第１の処理モードで出力する第１の出力手段と、
　入力画像に対して前記第1の処理モードとはＵＣＲ量が変化した第２の処理モードで出力する第２の出力手段と、
　前記第１及び第２の処理モードの各々に対応した色再現範囲を示すデータを保持する保持手段とを備えることを特徴とする画像処理装置。
　　【請求項１２】　更に、前記第１及び第２の処理モードのどちらで出力するかを指示する指示手段とを有し、
　前記指示手段で指示された前記処理モードに対応した前記色再現範囲を示すデータを用いて処理し出力することを特徴とする請求項１１記載の画像処理装置。
　　【請求項１３】　更に、前記色再現範囲を示すデータを更新する更新手段を有し、
　前記各処理モードごとに前記更新手段を用いて前記色再現範囲を示すデータを更新することを特徴とする請求項１１記載の画像処理装置。
　　【請求項１４】　パッチを出力する出力手段と、
　前記出力手段により出力されたパッチを読み取り画像信号に変換する入力手段と、
　前記入力手段により入力された画像信号に基づいて前記出力手段の色再現範囲を判定する判定手段と、
　前記判定された色再現範囲を示すデータを外部機器に転送する転送手段を備え、前記転送のタイミングは前記色再現範囲の更新したときもしくは前記外部機器が転送要求をしたときであることを特徴とする画像処理装置。
　　【請求項１５】　パッチを出力し、前記出力されたパッチを読み取り画像信号に変換し、前記変換された画像信号に基づいて出力手段の色再現範囲を判定し、前記判定された色再現範囲に基づき色空間圧縮処理を入力画像データに対して行う画像処理方法であって、
　前記色再現範囲の判定は、前記出力を行なう出力手段を安定化させるキャリブレーション後行なわれることを特徴とする画像処理方法。
　　【請求項１６】　出力装置の色再現範囲を示すデータを保持し、
　前記保持している前記出力装置の色再現範囲を示すデータに基づいて画像を出力し、
　前記出力された画像に基づいて前記保持している出力装置の色再現範囲を示すデータを更新する画像処理方法であって、
　前記出力装置のキャリブレーションした後に前記色再現範囲を示すデータを更新することを特徴とする画像処理方法。
　　【請求項１７】　入力画像信号に対して第１の色処理、または、前記第1の処理モードとは使用するインク数が異なる第２の色処理を行う画像処理方法において、
　前記第１及び第２の色処理の各々に対応した色再現範囲を示すデータを記憶することを特徴とする画像処理方法。入力画像に対して第１の処理モードで出力する第１の出力手段と、
　　【請求項１８】　入力画像信号に対して第１の色処理、または、前記第1の処理モードとはＵＣＲ量が変化した第２の色処理を行う画像処理方法において、
　前記第１及び第２の色処理の各々に対応した色再現範囲を示すデータを記憶することを特徴とする画像処理方法。
　　【請求項１９】　パッチを出力し、
　前記出力されたパッチを読み取り画像信号に変換し、
　前記変換された画像信号に基づいて出力手段の色再現範囲を判定し、
　前記判定された色再現範囲を示すデータを外部機器に転送する画像処理方法であって、
　前記転送のタイミングは前記色再現範囲の更新したときもしくは前記外部機器が転送要求をしたときであることを特徴とする画像処理方法。」
　
２．３．補正の適否についての判断
　補正後の請求項３には「前記色再現範囲をユーザに報知することを特徴とする」と記載されているが、補正前の特許請求の範囲の各請求項には、いわゆるユーザインターフェースに関する事項は何も記載されておらず、補正前の特許請求の範囲の各請求項に記載された事項のいずれかを限定するものとはいうことができない。
　そして、明りょうでない記載の釈明または誤記の訂正を目的としたものでないことは明かである。
　
２．４．むすび
　以上のとおり、本件補正は、特許法第１７条の２第３項の規定に違反するものであり、特許法第１５９条第１項で準用する特許法第５３条第１項の規定により却下されるべきものである。
　
３．本願発明について
３．１．本願発明
　平成１６年４月１５日付の手続補正は上記のとおり却下されたので、本願の請求項１に係る発明（以下、「本願発明」という。）は、平成１４年７月２９日付手続補正書の特許請求の範囲の請求項１に記載されたとおりのものである。
　
３．２．引用文献
　原査定の拒絶の理由に引用された特開平５−２８４３４７号公報には、図面とともに以下の記載がなされている。
　
（１）「【特許請求の範囲】
【請求項１】　カラー像を読み込んで対応する色信号を出力する入力手段と、入力色信号を変換して出力する変換処理手段と、入力色信号に対応するカラー画像を出力する出力手段とを有するカラー画像出力装置において、
上記変換処理手段が出力し得る全ての色信号で構成された第１の色空間（出力色空間）に所定の色信号範囲に属する忠実色再現領域を設定する設定手段と、
少なくともこの第１の色空間内の代表的座標に位置する色信号により上記出力手段を駆動して得られた色票を上記入力手段で読み込んで再び色信号に変換し、上記第１の色空間および忠実色再現領域を上記入力手段が出力し得る全ての色信号で構成された第２の色空間（入力色空間）内に再現してその座標位置を記憶する第１の変換部と、
上記入力手段によりカラー原画像から読み取った色信号が上記第２の色空間内に再現された忠実色再現領域内に含まれるか否かを判定する判定手段と、
上記判定手段により忠実色再現領域内に含まれると判定された色信号は、第２の色空間内の座標から対応する第１の色空間内の座標へと変換し、また、上記第２の忠実色再現領域内に含まれないと判定された色信号は、その色信号の階調度を圧縮して上記第２の色空間内の座標から対応する第１の色空間内の座標へと変換する第２の変換部とを具備して構成することを特徴とするカラー画像出力装置。」
　
（２）「【０００９】本発明は上記事情に鑑みてなされたものであり、その目的とするところは用いる色票は少なくて済み、しかも、色再現性は良好で、階調性の欠落が少ない高品位な色再現を実現することができるカラー画像出力装置を提供することにある。」
　
（３）「【００１４】はじめに本発明の色再現の原理を、図１を参照して説明する。　　　　　　　
（原　理）なお、ここでは本発明の色再現の概念をカラープリンタを例に話を進めることとする。
【００１５】カラープリンタの色再現系はカラー原稿を読み取って電気信号化する入力系（スキャナなどの入力装置）１、この電気信号を入出力系の色再現特性に合わせて信号補正する色再現変換系（色再現変換装置）２、この補正済みの信号を受けてカラーハードコピーを出力する出力系（プリンタなどの出力装置）３の３つの要素に分けて考えることができる。
【００１６】入力系１から出力系３までの間では色は電気的な信号として扱われている。これを色信号を呼ぶ。色信号はＲＧＢ（赤、緑、青）の各色信号それぞれについてその強さを例えば８ｂｉｔ構成のディジタル値（十進数で“０”、“１”、“２”…、“２５５”）で表わす。
【００１７】また、入力系１と色再現変換系２との間で色信号が形成する空間を入力色空間と呼ぶことにする。同様に色再現変換系２と出力系３との間で色信号が形成する空間を出力色空間と呼ぶことにする。これらの色空間は色の三元性によって一般的には３次元空間であるが、ここでは簡単のため２次元空間にして説明する。
【００１８】カラープリンタの色再現特性は、入力色空間から出力色空間への色信号の変換特性によって決まる。従って、良好な色再現が行われるようにするには、色再現変換系の特性をどのように定めるかが重要である。
【００１９】プリンタで記録できる色の範囲（以下、色再現可能範囲と呼ぶ）は、出力色空間の全ての色信号（領域Ａ１）で出力系を駆動し、色票ＳＣを作成してみれば知ることができる。
【００２０】しかし、出力色空間を構成する色信号の数が多い場合は、全ての色信号で色票ＳＣを作ることは困難であるので、出力色空間に目の粗い格子を仮想的に張り巡らし、これによって特定される粗い格子点上の位置の色信号でのみ、色票ＳＣを作成し、格子点間は補間するなどの方法で対処する。このようにして作成された各格子点上の位置の色信号すなわち、注目点位置での色信号による色票ＳＣを、入力系で読み取ることで色再現可能範囲を入力色空間でとらえることができる。図１において、領域Ａ２がそれである。
【００２１】そして、領域Ａ２の各色信号をその色票ＳＣのもとである領域Ａ１の色信号に対応させるように色再現変換系の特性を定めれば、このプリンタ系が閉じたループを形成することになり、その結果、このプリンタが出力可能な色の範囲に限ってほぼ忠実な色再現ができるようになる。
【００２２】「ほぼ忠実」と云うのは、入力色空間である領域Ａ２での要素である色信号の数の方が、出力色空間である領域Ａ１での要素である色信号の数よりも少ないからである。すなわち、階調性の欠落が生じているからである。無論、プリンタが色信号を扱うときの量子化ビット数による階調数の制限もある。しかし、カラー原稿を入力系で読み取った場合、色信号は領域Ａ２を越えて入力色空間の全領域に亙り、入力される可能性がある。
【００２３】そしてこの場合、前述のように入力色空間の領域Ａ２の色信号を出力色空間の領域Ａ１の色信号に変換すると、入力色空間のうち、領域Ａ２以外の部分（領域Ａ３に対応）は出力色空間の領域Ａ１における最外周上（３次元空間では領域Ａ１の表面上）の色信号に変換されることになり、領域Ａ３に対応する色空間の成分は階調性が全く無くなってしまう。これを入力色空間で観察すると、領域Ａ３は潰れて領域Ａ２の表面に貼り付くように変換される。
【００２４】そこで、本発明では入力色空間の領域Ａ２をａおよびｂの２つの領域に区分し、領域ａは忠実な再現を行い、領域ｂは領域Ａ３と領域ｂの２つの領域を圧縮して色再現するようにする。これが本発明の手法の特徴的な部分である。領域ａを忠実色再現領域、領域ｂを圧縮色再現領域と呼ぶことにする。」
　
３．３．対比
　引用文献の請求項１に記載された発明（以下、引用発明という。）は、「カラー像を読み込んで対応する色信号を出力する入力手段」と、「入力色信号に対応するカラー画像を出力する出力手段」とを有し、「少なくともこの第１の色空間内の代表的座標に位置する色信号により上記出力手段を駆動して得られた色票を上記入力手段で読み込んで再び色信号に変換し、」とするものであるから、色票を構成するパッチを出力する機能、及び出力されたパッチを読み取り画像信号に変換して入力する機能を有するものといえる。
　また、上記（３）で、「【００１８】カラープリンタの色再現特性は、入力色空間から出力色空間への色信号の変換特性によって決まる。」、「【００２１】そして、領域Ａ２の各色信号をその色票ＳＣのもとである領域Ａ１の色信号に対応させるように色再現変換系の特性を定めれば、このプリンタ系が閉じたループを形成することになり、その結果、このプリンタが出力可能な色の範囲に限ってほぼ忠実な色再現ができるようになる。」とあることからも明らかなように、出力色空間を入力色空間内に再現してその座標位置を記憶する「第１の変換部」は、入力された（色票を構成するパッチの）画像信号に基づいて前記出力手段の色再現範囲を判定する機能を有するものといえる。
　さらに、「第２の変換部」は、カラー原画像から読み取った色信号を、「第１の変換部」で入力色空間内に再現された出力色空間内に変換するものであるから、判定された色再現範囲を用いて入力画像データに対して色空間圧縮する機能を有するものといえる。
　そして、引用発明のカラー画像出力装置は、上記のような処理を行うものであるから、画像処理装置といえる。
　したがって、本願発明と引用発明は次の点で一致する。
　
「パッチを出力する出力手段と、
　前記出力手段で出力されたパッチを読み取り画像信号に変換する入力手段と、
　前記入力手段により入力された画像信号に基づいて前記出力手段の色再現範囲を判定する判定手段と、
　前記判定手段で判定された色再現範囲を用いて入力画像データに対して色空間圧縮する色空間圧縮手段とを備えることを特徴とする画像処理装置。」　
　また、次の点で相違する。
　
　相違点
　本願発明は、「前記出力手段を安定化させるキャリブレーション手段を更に有し、前記色再現範囲の判定は該キャリブレーション手段による処理後行なわれる」ものであるのに対して、引用発明では、そのような手段については明らかでない点。
　
　なお、引用発明では「上記変換処理手段が出力し得る全ての色信号で構成された第１の色空間（出力色空間）に所定の色信号範囲に属する忠実色再現領域を設定する設定手段」が備えられており、「第１の変換部」及び「第２の変換部」はそれに応じた処理がなされているが、本願発明では、色空間圧縮の具体的な処理についての特定はないし、発明の詳細な説明に記載された実施例では、「忠実色再現領域」に基づいた処理を行うことが示されており（段落【００７４】には「図１１は、デバイス色再現領域内に忠実色再現領域と写像色再現領域とが存在し、その２つの境界であるマッピング境界を入力画像に応じて制御すること、また、マッピング境界外の入力色信号は写像色再現領域にマッピングすることを示している。」と記載されている。）、上記の点は実質的な相違点とはならない。
　
３．４．相違点の判断
　出力手段を安定化させる手段を有し、その処理後に出力を行うことは、以下の例に示されるように周知技術にすぎない。
　
　周知例１．特開平６−１７５４４９号公報（平成６年６月２４日出願公開）
「【０００２】
【従来の技術】イメージスキャナにより読み取った原稿画像の濃度データを用いて、カラー印刷を行う電子写真式のデジタルカラー複写機では、写真等の中間調画像の再現性を向上させることが重要な課題となっている。
（中略）
【０００５】一般的な画像安定化処理について、以下に図３を参照して簡単に説明する。
（中略）
なお、画像安定化処理には、上記ＡＩＤＣ動作によるもの以外に、電圧検出によるものや、ＡＩＤＣ動作及び電圧検出の双方による画像安定化処理がある。」、
「【００２３】
【実施例】画像安定化処理は、基本的に複写動作の開始直前に実行するのが制御の信頼性、精度上、最も好ましいが、常に複写動作の開始直前に画像安定化処理を実行すると、実際の複写動作の開始までの時間が長くなる。このため、本発明では、（後略）」
等の記載がなされている。
　
　周知例２．特開平６−１１８７５９号公報（平成６年４月２８日出願公開）
「【０００２】
【従来の技術】一般に、電子写真プロセスに用いる感光体には、環境、耐刷による静電特性の変動および感光体個々の静電特性のばらつきがある。特にカラー画像においては、これらの静電特性の変動が色の再現性、バランスおよび低濃度部の再現性に大きな影響を及ぼす。そこで、画像再現の安定化のために、画像再現の前に、画像濃度を安定的に良好な状態で維持する自動濃度制御（ＡＩＤＣ）が行われている。（後略）」、
「【００３３】なお、この一連の画像安定化制御は、コピー毎に動作するようにしてもよい。また、コピー枚数や時間をカウントして、所定枚数や所定時間毎に動作させたり、環境変動(温度、湿度)をモニターして、所定以上変化した時に動作させるようにして、画像安定化制御の処理回数を減らすことも可能である。これにより、消耗品(感光体、現像剤など)の寿命を向上する。
【００３４】（ｅ）制御フローの説明
図１６は、複写動作に関するメインフローチャートである。まず、電源投入により、内部レジスタ、各種タイマなどを初期設定し(Ｓ１)、メインルーチンの時間を規定する。その後、ＶG補正処理（Ｓ２、図１７参照）、光量補正処理(Ｓ３、図１８、図１９参照）、ＡＩＤＣ処理（Ｓ４、図２０参照）、コピー処理（Ｓ５)およびその他の入力処理（Ｓ６）と出力処理(Ｓ７)を行なう。そしてＳ２へ戻り、メインルーチンの処理を繰り返す。コピー処理は、通常と同様なので説明を省略する。」
等の記載がなされている。
　
　周知例３．特開平４−３３１９６３号公報
「【０００１】
【産業上の利用分野】本発明は、複写プロセスを用いた画像形成装置に関し、より詳細には感光体の表面電位を検出し、該検出データに基づいて経時変化による感光体特性の変化に対応する各プロセス条件を補正して画像の安定性を向上させる複写機等の画像形成装置に関する。」、
「【００２３】図２は、本発明の制御動作を示すフローチャートであり、図１に示した画像形成装置における電位センサ１１４で感光体ドラム１０１の表面電位を計測して、そのデータに基づいて制御するものである。図２において、図示しないプリントキーをＯＮして（Ｓ２０１）一連の複写プロセスをスタートさせる。次に、電位センサ１１４によって感光体ドラム１０１面の残留電位ＶR を測定し（Ｓ２０２）、続いて感光体ドラム１０１面の明部電位ＶL を測定する（Ｓ２０３）。
（中略）
【００２５】また、上記フローチャートのステップ２０４において、測定された明部電位ＶL と残留電位ＶR の差（ＶL −ＶR ）が所定値αＶより小さい場合は、更にＶL −ＶR ）を所定値αＶ−３０Ｖと比較（Ｓ２０８）し、そして所定値αＶ−３０Ｖより大きい場合に、露光ランプの光量ＶLPを１ステップ下げる（Ｓ２０９）。反対に、（ＶL −ＶR ）が所定値αＶ−３０Ｖより小さい場合には、露光ランプの光量ＶLPを２ステップ下げる（Ｓ２１０）ように制御する。このように露光ランプの光量ＶLPが画像形成時に変化しても、現像バイアスＶBを制御しているため、低濃度部での画像を安定化させることができる。」
等の記載がなされている。
　
　引用発明においても、出力を安定化することが望ましいのは当然のことであり、特に色票は、それに基づいて色空間圧縮の処理がなされるのであるから、それを出力する前に安定化の処理を行うことで、本願発明の「前記出力手段を安定化させるキャリブレーション手段を更に有し、前記色再現範囲の判定は該キャリブレーション手段による処理後行なわれること」と同様の構成とすることに困難な点はない。
　
４．むすび
　以上のとおり、本願発明は、引用文献に記載された発明に基づいて、当業者が容易に発明をすることができたものであるから、特許法第２９条第２項の規定により特許を受けることができない。
　よって、結論のとおり審決する。